(57)【要約】【課題】  遠くの利用者にとって視認性の良い案内表示を実現することのできる自動発券機を提供する。【解決手段】  本体の最上部であって接客パネルよりも上方に配置されている発売表示部９に、発売中である否かの案内文言、購入可能な券の種類、利用可能な貨幣の種類を表示するように構成する。これにより自動券売機の前に別の利用者が立ち塞いでいるような状況においても、発売表示部９の表示内容が遠くの利用者から見えなくならない。また、同色またはほぼ同色の透光性インクと不透光性インクとを、発売表示部９の案内文言やマークを形成する字線部分と下地部分とに別々に用いて印刷することで、消灯中と照明中の案内表示部９の表示の有り様に大きな差異を発生させることが可能となり、利用者が発売表示部９の表示内容を誤認することを低減する。【選択図】図３
2005084748.tif 000002
【特許請求の範囲】
【請求項１】
複数の種類の券を発行可能な発券部と、
複数の種類の貨幣の受け入れおよび放出が可能な貨幣処理部と、
利用者との情報の入出力を行う接客部と、
前記接客部より高い位置に設けられ、券の販売が可能な状態であるか否かを示す案内文言、前記発券部により発行可能な券の種類、および前記貨幣処理部にて受け入れ可能な貨幣の種類を表示する案内表示部と
を具備することを特徴とする自動発券機。
【請求項２】
請求項１に記載の自動発券機において、
前記案内表示部が、
前記案内文言の表示領域、前記券の種類を個々に表示する複数の表示領域、および前記貨幣の種類を個々に表示する複数の表示領域を有し、同色またはほぼ同色の透光性インクと不透光性インクとを前記各表示領域の表示内容のパターンを形成する字線の部分と下地の部分とに用いて表面に印刷が施された透明パネルと、
この透明パネルの一方の面より前記各表示領域を照明する照明手段と
を有することを特徴とする自動発券機。
【請求項３】
複数の種類の券を発行可能な発券部と、
複数の種類の貨幣の受け入れおよび放出が可能な貨幣処理部と、
利用者との情報の入出力を行う接客部と、
前記接客部より高い位置に設けられ、券の販売が可能な状態であるか否かを示す案内文言、前記発券部により発行可能な券の種類、および前記貨幣処理部にて受け入れ可能な貨幣の種類を表示する案内表示部と、
前記発券部の状態を検知して発行不能な券の種類を判断する第１の検知部と、
前記貨幣処理部の状態を検知して放出不能な貨幣の種類を判断する第２の検知部と、
前記第１の検知部および前記第２の検知部の検知結果に基づいて、前記案内表示部の表示を制御する制御部と
を具備することを特徴とする自動発券機。
【請求項４】
請求項３に記載の自動発券機において、
前記案内表示部が、
前記案内文言の表示領域、前記券の種類を個々に表示する複数の表示領域、および前記貨幣の種類を個々に表示する複数の表示領域を有し、同色またはほぼ同色の透光性インクと不透光性インクとを前記各表示領域の表示内容のパターンを形成する字線の部分と下地の部分とにそれぞれ用いて表面に印刷が施された透明パネルと、
この透明パネルの一方の面より前記各表示領域を照明する照明手段とを有し、
前記制御部は、前記第１の検知部および前記第２の検知部の検知結果に基づいて、前記発券部により発行不能な券の種類に対応する表示領域および前記貨幣処理部にて受け入れ不能な貨幣の種類に対応する表示領域の照明をオフにするように前記照明手段を制御することを特徴とする自動発券機。
【発明の詳細な説明】
【技術分野】
【０００１】
本発明は、たとえば、鉄道などの交通機関の駅に設置され、利用者の操作により所望の乗車券を自動的に販売する自動券売機に関する。
【背景技術】
【０００２】
近年、たとえば、鉄道などの交通機関の駅には、利用者により投入される紙幣、硬貨、プリペイド・カード、定期券などを受け入れ、利用者により指定された種類の乗車券、たとえば切符、回数券、定期券、プリペイド・カードを自動的に販売する自動券売機が設置されている。
【０００３】
このような自動券売機には、これが現在、乗車券などの券の販売が可能な状態であるかを表示する機能が設けられている。たとえば、特許文献１には、紙幣投入口、紙幣返却口、硬貨投入口、各種押し釦などとともに、金額や「発売中止」などを表示する表示部を接客面に配設した自動券売機が開示されている。
【特許文献１】特開平１１−６６３８５号公報（段落００１７）
【発明の開示】
【発明が解決しようとする課題】
【０００４】
しかしながら、上記の接客面に設けられた表示部は、利用者の視線の高さに合わせて配置の高さが決められている。このため、表示部に表示される「発売中」「発売中止」といった案内文言は、自動券売機の前を通過する障害物によって、遠くの利用者からは見えにくいという難があった。このため、利用者は自動券売機の正面まで来てはじめて、発売中止の自動券売機であることを知ることになり、結果的に複数の自動券売機間を利用者に渡り歩かせるような事態を招いていた。
【０００５】
さらにこのような問題は、販売可能な券の種類や利用可能な貨幣の種類を表示部に表示する構成とした場合にも同様であった。
【０００６】
本発明は、このような課題を解決するためのなされたものであり、遠くの利用者にとって視認性の良い案内表示を実現することのできる自動発券機を提供しようとするものである。
【課題を解決するための手段】
【０００７】
上記目的を達成するために、本発明の自動発券機は、複数の種類の券を発行可能な発券部と、複数の種類の貨幣の受け入れおよび放出が可能な貨幣処理部と、利用者との情報の入出力を行う接客部と、前記接客部より高い位置に設けられ、券の販売が可能な状態であるか否かを示す案内文言、前記発券部により発行可能な券の種類、および前記貨幣処理部にて受け入れ可能な貨幣の種類を表示する案内表示部とを具備するものである。
【０００８】
本発明によれば、接客部よりも上方に配置されている発売表示部に、券の販売が可能な状態であるか否かを示す案内文言、発行可能な券の種類、および受け入れ可能な貨幣の種類を表示するように構成したことにより、発売表示部の表示内容が、自動券売機の前に別の利用者が立ち塞いでいるような状況においても、遠くの利用者から見えなくなることがない。これにより利用者は、自分の利用できる自動券売機を遠い位置から見つけることができ、複数の自動券売機間を渡り歩かせるといった、余計な負担を利用者に負わすことがなくなる。
【０００９】
また、本発明の自動発券機において、案内表示部は、案内文言の表示領域、券の種類を個々に表示する複数の表示領域、および貨幣の種類を個々に表示する複数の表示領域を有し、同色またはほぼ同色の透光性インクと不透光性インクとを各表示領域の表示内容のパターンを形成する字線の部分と下地の部分とに用いて表面に印刷が施された透明パネルと、この透明パネルの一方の面より各表示領域を照明する照明手段とを有する。
【００１０】
このような構成を有することによって、照明手段の消灯中は利用者から見て字線の部分と下地の部分との区別がつきにくく、案内表示部の表示物の存在すら利用者が気づかない状態となり、逆に照明中は、不透光性インクの部分が明るく浮びあがることによって案内表示部の表示内容を利用者が容易に認識できる状態になる。これにより、消灯中と照明中の案内表示部の表示の有り様に大きな差異を発生させることが可能となり、利用者が発売表示部の表示内容を誤認することを低減することができる。
【発明の効果】
【００１１】
本発明の自動発券機によれば、利用者は自分の利用できる自動券売機を遠い位置から見分けることができる。また、消灯中と照明中の案内表示部の表示の有り様に大きな差異を生み出すことができ、発売表示部の視認性が向上する。
【発明を実施するための最良の形態】
【００１２】
以下、本発明の実施の形態を図面に基づき説明する。
【００１３】
図１は、本発明の一実施形態にかかる自動券売機１００の外観を示す図である。同図に示すように、本体１の前面には接客部である接客パネル２が設けられている。接客パネル２は、たとえば、液晶表示装置などの表示器とこの表示器の画面上で利用者がタッチした位置を検出するタッチセンサパネルとで構成されている。この接客パネル２には、券売操作に関する各種案内文のほか、利用者からの券種、金額、行先駅名などの指定を受け付けるための各種ボタンが表示される。利用者が指などで任意のボタンに指などを触れることで、その触れた位置がタッチセンサパネルにより検知されて主制御部に与えられる。また、接客パネル２の近傍にはメカニカルな押しボタン３なども配設されている。
【００１４】
接客パネル２の下方には、硬貨を投入できる硬貨投入口４、紙幣の投入および返却が行われる紙幣投入／返却口５、プリペイド・カードや乗車券などの投入および返却が行われるカード投入／返却口６、購入した磁気式の乗車券が放出される券取出口７、釣銭硬貨が放出される硬貨出口８などが設けられている。
【００１５】
さらに、接客パネル２よりも高い位置には、券の販売が可能な状態であるか否かを示す、たとえば「発売中」といったような案内文言、発行可能（販売可能）な券の種類、および、利用可能（利用者からの受け入れが可能）な貨幣の種類などを表示する発売表示部９が設けられている。この発売表示部９は、本体１の最上部に配置され、自動券売機１００を利用中の利用者によって表示画面が隠れてしまうことがなく、遠くの利用者から見えるような高さ位置に設けられている。
【００１６】
図２は発売表示部９の側面断面図、図３は発売表示部９の正面図である。
【００１７】
これらの図に示すように、発売表示部９は、たとえばアクリル製などの透明パネル１１と、この透明パネル１１を背後から照明する、たとえば蛍光灯、ＬＥＤなどの照明手段１２（１２Ａ−１２Ｅ）と、透明パネル１１および照明手段１２を保持するとともに透明パネル１１の背面に自然光が入射するのを阻止するように機能する保持部１３とで構成されている。
【００１８】
透明パネル１１の表面たとえば正面側には、図３に示すように、たとえば符号２１１で示す「発売中」などの案内文言や、マークなどが印刷されている。ここで、図２に示すように、案内文言やマークの字線部分１４とこの字線部分１４以外の部分である下地部分１５の形成には、色は同じあるいはほぼ同じであるが、一方には透光性のインクが、他方には不透光性のインクが用いられている。
【００１９】
このような構成を有する発売表示部９では、字線部分１４と下地部分１５とに同じあるいはほぼ同じ色のインクが用いられているので、照明手段１２の消灯中は、利用者から見て字線部分１４と下地部分１５との区別がつきにくく案内文言やマークの存在すら利用者が気づかない状態となり、逆に照明手段１２の照明中は、不透光性インクの部分が明るく浮びあがることによって案内文言やマークを利用者が容易に認識できる状態になる。
【００２０】
また、図３に示すように、発売表示部９の全体表示領域は、案内文言表示領域２１、購入可能券種表示領域２２および利用可能種類表示領域２３に区分されている。
【００２１】
案内文言表示領域２１には、自動券売機１００が券の販売が可能な状態であるか否かを示す、たとえば「発売中」といった案内文言のパターン２１１が上記の透光性インクと不透光性インクを用いて描かれている。具体的には、たとえば、案内文言・マークの字線部分１４に透光性インクが、下地部分１５に不透光性インクが用いられている。もちろん、これとは逆に、字線部分１４に不透光性インクを、下地部分１５に透光性インクを用いてもよい。
【００２２】
購入可能券種表示領域２２は、自動券売機１００で現在のところ販売が可能な券の種類を表示するための領域である。この購入可能券種表示領域２２には、たとえば、切符、回数券、定期券、カード（プリペイド・カード）といった券種にそれぞれ対応する複数の細分表示領域２２１−２２４が設けられている。これら個々の細分表示領域２２１−２２４にはそれぞれ、対応する券種を示す文字やマークなどのパターンが透光性インクと不透光性インクで描かれている。具体的には、字線部分１４に透光性インクが、下地部分１５に不透光性インクが用いられている。逆に、字線部分１４に不透光性インクを、下地部分１５に透光性インクを用いてもかまわない。
【００２３】
利用可能種類表示領域２３は、自動券売機１００で現在のところ受け入れが可能な貨幣（カードを含む）の種類を表示するための領域である。この利用可能種類表示領域２３には、たとえば、千円紙幣、二千円紙幣、五千円紙幣、一万円紙幣、カード、硬貨といった貨幣の種類にそれぞれ対応する複数の細分表示領域２３１−２３６が設けられている。これらの細分表示領域２３１−２３６にはそれぞれ、対応する貨幣の種類を示す文字やマークなどのパターンが透光性インクと不透光性インクで描かれている。具体的には、字線部分１４に透光性インクが、下地部分１５に不透光のインクが用いられている。逆に、字線部分１４に不透光性インクを、下地部分１５に透光性インクを用いてもかまわない。
【００２４】
また、案内文言表示領域２１の全体、購入可能券種表示領域２２における個々の細分表示領域２２１−２２４、ならびに利用可能種類表示領域２３における個々の細分表示領域２３１−２３６は、照明手段１２により裏側からそれぞれ個別に照明をすることが可能とされている。
【００２５】
図２は、発売表示部９の案内文言表示領域２１および購入可能券種表示領域２２の側面断面図である。同図に示されるように、照明手段１２は、案内文言表示領域２１を照明する照明部１２Ｅ、購入可能券種表示領域２２における個々の細分表示領域２２１−２２４をそれぞれ個別に照明する複数の照明部１２Ａ−１２Ｄ、そして利用可能種類表示領域２３における個々の細分表示領域２３１−２３６をそれぞれ個別に照明する複数の照明部（図示せず）で構成されており、これらの照明部は各々個別に点灯と消灯の切り替えの制御が行われることが可能となっている。なお、個々の照明部は遮光板２４で囲まれており、照明光が他の領域に漏れないようにしている。
【００２６】
次に、この自動券売機１００の制御系の構成を説明する。図４はこの自動券売機１００の制御系の構成を示す図である。
【００２７】
同図において、主制御部３１は、ＣＰＵ（Central Processing Unit）、ＲＯＭ（Read Only Memory）、ＲＡＭ（Random Access Memory）などから構成される。ＲＯＭにはＣＰＵが実行するプログラムや各種データが記憶されており、ＣＰＵはＲＯＭに記憶されているプログラムに基づきＲＡＭを作業空間に用いて自動券売機１００の全体の制御を行う。
【００２８】
主制御部３１には、インターフェイス（Ｉ／Ｆ）３２を介して、各種データの記憶に用いられる、たとえばハードディスク装置、光ディスク装置などのランダムアクセス可能な記憶装置３３が接続されている。また、主制御部３１には、インターフェイス（Ｉ／Ｆ）３４を介して、接客パネル２、および係員専用の操作部である係員パネル３５が接続されている。さらに、主制御部３１には、インターフェイス（Ｉ／Ｆ）３６を介して、発券部３７、カード処理部３８、紙幣処理部３９および硬貨処理部４０がそれぞれ接続されている。そして、主制御部３１は、通信制御部４１を通じて図示しないホスト装置との間で通信を行うことが可能である。
【００２９】
発券部３７は、利用者より指定された切符や回数券を発行して券取出口７へ放出する処理を行う。発券部３７は、たとえば、切符や回数券の原紙切れや、搬送系の障害、印刷用のインク切れ、磁気ヘッドの異常などのエラーの発生を検知して発券不能な券種を判断し、その発券不能な券種（切符、回数券）に対応する券発行不可信号をインターフェイス（Ｉ／Ｆ）３６を通じて主制御部３１に通知する検知機構４２を有している。
【００３０】
カード処理部３８は、カード投入／返却口６に挿入された定期券やプリペイド・カードなどの磁気記録面に対するデータの読み書きや、利用者より購入指定された定期券やプリペイド・カードを発行してカード投入／返却口６に放出する処理を行う。カード処理部３８は、たとえば、カードのストック切れや、搬送系の障害、磁気ヘッドの異常などのエラーの発生を検知して発行不能なカードの種類を判定し、その発行不能なカード（定期券やプリペイド・カード）に対応するカード発行不可信号をインターフェイス（Ｉ／Ｆ）３６を通じて主制御部３１に通知する検知機構４３を有している。
【００３１】
紙幣処理部３９は、紙幣投入／返却口５に挿入された紙幣を受け入れて処理したり、紙幣投入／返却口５につり銭等として紙幣を放出する処理を行う。紙幣処理部３９は、たとえば、種類別の紙幣のストック切れ、搬送系の障害などのエラーの発生を検知して放出不能な紙幣の種類を判定し、その放出不能な紙幣の種類に対応する紙幣放出不可信号をインターフェイス（Ｉ／Ｆ）３６を通じて主制御部３１に通知する検知機構４４を有している。
【００３２】
硬貨処理部４０は、硬貨投入口４に投入された硬貨を受け入れて処理したり、硬貨出口８に硬貨をつり銭等として放出する処理を行う。硬貨処理部４０は、たとえば、種類別の硬貨のストック切れ、搬送系の障害などのエラーの発生を検知して放出不能な硬貨の種類を判定し、その放出不能な硬貨の種類に対応する硬貨放出不可信号をインターフェイス（Ｉ／Ｆ）３６を通じて主制御部３１に通知する検知機構４５を有している。
【００３３】
また、主制御部３１には、インターフェイス（Ｉ／Ｆ）４６を介して発売表示部９が接続されている。主制御部３１は、発券部３７の検知機構４２より通知された券発行不可信号、カード処理部３８の検知機構４３より通知されたカード発行不可信号、紙幣処理部３９の検知機構４４より通知された紙幣放出不可信号、および硬貨処理部４０の検知機構４５より通知された硬貨放出不可信号に基づいて発売表示部９の照明手段１２の個別の照明のオン／オフを制御するロジックを備えている。
【００３４】
次に、この自動券売機１００での発売表示部９の表示の動作を説明する。
【００３５】
図３は、切符、回数券、定期券、プリペイド・カードのすべての券種が発行可能で、かつ、千円紙幣、二千円紙幣、五千円紙幣、一万円紙幣、カード、硬貨のすべての種類が利用可能であるときの発売表示部９の表示状態を示している。この場合、案内文言表示領域２１、購入可能券種表示領域２２のすべての細分表示領域２２１−２２４、および利用可能種類表示領域２３のすべての細分表示領域２３１−２３６の照明はすべてオンになっている。
【００３６】
ここで、発券部３７の検知機構４２にて切符の発行不可状態が検知された場合、検知機構４２は切符の券発行不可信号をインターフェイス（Ｉ／Ｆ）３６を通じて主制御部３１に通知する。主制御部３１は、この切符の券発行不可信号を入力すると、購入可能券種表示領域２２における切符の細分表示領域２２１の照明をオフするための制御信号をインターフェイス（Ｉ／Ｆ）３６を通じて発売表示部９に出力する。発売表示部９はこの制御信号に基づいて、切符の細分表示領域２２１に対応する照明部１２Ａの照明をオフにする。これにより、図５に示すように、切符の細分表示領域２２１が消灯状態となり、切符の購入が不可状態であることを利用者が確認できる状態になる。
【００３７】
次に、発券部３７の検知機構４２にて回数券の発行不可状態が検知された場合を説明する。この場合、検知機構４２は回数券の券発行不可信号をインターフェイス（Ｉ／Ｆ）３６を通じて主制御部３１に通知する。主制御部３１は、この回数券の券発行不可信号を入力すると、購入可能券種表示領域２２における回数券の細分表示領域２２２の照明をオフするための制御信号をインターフェイス（Ｉ／Ｆ）３６を通じて発売表示部９に出力する。発売表示部９はこの制御信号に基づいて、回数券の細分表示領域２２２に対応する照明部１２Ｂの照明をオフにする。これにより、図６に示すように、発売表示部９の回数券の細分表示領域２２２が消灯状態となり、回数券の購入が不可状態であることを利用者が確認できる状態になる。
【００３８】
次に、カード処理部３８の検知機構４３にて定期券の発行不可状態が検知された場合を説明する。この場合、検知機構４３は定期券のカード発行不可信号をインターフェイス（Ｉ／Ｆ）３６を通じて主制御部３１に通知する。主制御部３１は、カード処理部３８の検知機構４３より、定期券のカード発行不可信号を入力すると、購入可能券種表示領域２２における定期券の細分表示領域２２３の照明をオフするための制御信号をインターフェイス（Ｉ／Ｆ）３６を通じて発売表示部９に出力する。発売表示部９はこの制御信号に基づいて、定期券の細分表示領域２２３に対応する照明部１２Ｃの照明をオフにする。これにより、図７に示すように、定期券の細分表示領域２２３が消灯状態となり、定期券の購入が不可状態であることを利用者が確認できる状態になる。
【００３９】
次に、カード処理部３８の検知機構４３にてプリペイド・カードの発行不可状態が検知された場合を説明する。この場合、検知機構４３はプリペイド・カードのカード発行不可信号をインターフェイス（Ｉ／Ｆ）３６を通じて主制御部３１に通知する。主制御部３１は、カード処理部３８の検知機構４３より、プリペイド・カードのカード発行不可信号を入力すると、購入可能券種表示領域２２におけるカードの細分表示領域２２４の照明をオフするための制御信号をインターフェイス（Ｉ／Ｆ）３６を通じて発売表示部９に出力する。発売表示部９はこの制御信号に基づいて、プリペイド・カードの細分表示領域２２４に対応する照明部１２Ｄの照明をオフにする。これにより、図８に示すように、プリペイド・カードの細分表示領域２２４が消灯状態となり、プリペイド・カードの購入が不可状態であることを利用者が確認できる状態になる。
【００４０】
以上のように、発売表示部９の購入可能券種表示領域２２の表示制御が行われる。
【００４１】
次に、発売表示部９の利用可能種類表示領域２３の表示制御の動作を説明する。
【００４２】
まず、紙幣処理部３９の検知機構４４にていずれかの種類の紙幣の放出不可状態が検知された場合を説明する。この場合、検知機構４４はその紙幣の放出不可信号をインターフェイス（Ｉ／Ｆ）３６を通じて主制御部３１に通知する。主制御部３１は、紙幣処理部３９の検知機構４４より、いずれかの種類の紙幣の放出不可信号を入力すると、たとえば、その種類の紙幣に対して、つり銭処理等を考慮して予め決められた種類の紙幣の利用が不可であることを利用者が分かるように、利用可能種類表示領域２３における該当する種類の紙幣に対応する細分表示領域２３１−２３３の照明をオフするための制御信号をインターフェイス（Ｉ／Ｆ）３６を通じて発売表示部９に出力する。発売表示部９はこの制御信号に基づいて、該当する種類の紙幣に対応する細分表示領域２３１−２３３の照明部の照明をオフにする。
【００４３】
たとえば、千円紙幣が放出不可となった場合、図９に示すように、すべての種類の紙幣が利用できない状態となり、この状態が利用可能種類表示領域２３の表示に反映される。二千円紙幣が放出不可となった場合は、二千円紙幣の利用ができない状態となり、この状態が利用可能種類表示領域２３の表示に反映される。なお、千円紙幣が放出不可が千円紙幣のストック切れに起因する場合で、千円紙幣の搬送系には問題がない場合には、千円紙幣の利用（受け入れ）は可とし、二千円紙幣、五千円紙幣、一万円紙幣の利用は不可とするようにしてもよい。
【００４４】
次に、硬貨処理部４０の検知機構４５にていずれかの種類の硬貨の放出が不可になった状態が検知された場合を説明する。この場合、検知機構４５はその硬貨の放出不可信号をインターフェイス（Ｉ／Ｆ）３６を通じて主制御部３１に通知する。主制御部３１は、硬貨処理部４０の検知機構４５よりいずれかの種類の硬貨の放出不可信号を入力すると、たとえば、全種類の硬貨の利用が不可であることを利用者が分かるように、利用可能種類表示領域２３の硬貨に対応する細分表示領域２３６の照明をオフするための制御信号をインターフェイス（Ｉ／Ｆ）３６を通じて発売表示部９に出力する。発売表示部９はこの制御信号に基づいて、図１０に示すように、硬貨に対応する細分表示領域２３６の照明部の照明をオフにする。
【００４５】
なお、この実施形態では、硬貨の利用の可否を一つの細分表示領域２３６で表示するように構成したが、硬貨についても、紙幣と同様に種類別の細分表示領域を設けておき、種類別に硬貨の利用の可否を利用者が分かるように構成してもよい。
【００４６】
さらに、主制御部３１は、カード処理部３８の検知機構４３にて搬送系のエラーが検知され、その旨を示すカード発行不可信号を入力した場合には、前述した購入可能券種表示領域２２の表示の制御とともに、利用可能種類表示領域２３におけるカードに対応する細分表示領域２３５を消灯状態にするように制御を行う。
【００４７】
係員パネル３５などによって係員が自動券売機１００の全体の運用を停止する指令を入力した場合には、主制御部３１は自動券売機１００の全体の動作を停止させる。これにより、図１１に示すように、発売表示部９の全体が消灯状態となり、これによって案内文言表示領域２１のたとえば「発売中」といった案内文言の表示、購入可能券種表示領域２２の表示、利用可能種類表示領域２３の表示のすべてが消滅状態となり、利用者は、この自動券売機１００が現在発売停止中であることを知ることができる。
【００４８】
以上説明した本実施形態の自動券売機１００では、本体１の最上部であって接客パネル２よりも上方に配置されている発売表示部９に、発売中である否かの案内文言、購入可能な券の種類、利用可能な貨幣の種類を表示するように構成したので、発売表示部９の表示内容は、自動券売機１００の前に別の利用者が立ち塞いでいるような状況においても、遠くの利用者から見えなくなることが少なくなる。これにより利用者は、自分の利用できる自動券売機１００を遠い位置から見つけることができ、複数の自動券売機間を渡り歩かせるといった、余計な負担を利用者に負わすことがなくなる。
【００４９】
また、この実施形態の自動券売機１００において、発売表示部９の案内文言やマークの字線部分１４と下地部分１５には、同色あるいはほぼ同色であるが、一方には透光性のインクが、他方には不透光性のインクが用いられているので、消灯中は利用者から見て字線部分１４と下地部分１５との区別がつきにくく案内文言・マークの存在すら利用者が気づかない状態となり、逆に照明中は、不透光性インクの部分が明るく浮びあがることによって案内文言・マークを利用者が容易に認識できる状態になる。これにより、消灯中と照明中の表示の有り様に大きな差異を発生させることが可能となり、利用者が発売表示部９の表示内容を誤認することを低減することができる。
【００５０】
なお、本発明の自動発券機は、上述の実施形態にのみ限定されるものではなく、本発明の要旨を逸脱しない範囲内において種々変更を加え得ることは勿論である。
【図面の簡単な説明】
【００５１】
【図１】本発明の一実施形態にかかる自動券売機１００の外観を示す図である。
【図２】図１の発売表示部９の側面断面図である。
【図３】図１の発売表示部９の正面図である。
【図４】図１の自動券売機１００の制御系の構成を示す図である。
【図５】切符の細分表示領域２２１が消灯状態にあるときの発売表示部９の正面図である。
【図６】回数券の細分表示領域２２２が消灯状態にあるときの発売表示部９の正面図である。
【図７】定期券の細分表示領域２２３が消灯状態にあるときの発売表示部９の正面図である。
【図８】プリペイド・カードの細分表示領域２２４が消灯状態にあるときの発売表示部９の正面図である。
【図９】紙幣の受け入れが不可状態にあるときの発売表示部９の正面図である。
【図１０】硬貨の受け入れが不可状態にあるときの発売表示部９の正面図である。
【図１１】発売表示部９の全消灯状態を示す正面図である。
【符号の説明】
【００５２】
１・・・・本体、２・・・・接客パネル、９・・・・発売表示部、１１・・・・透明パネル、１２・・・・照明手段、１２Ａ−１２Ｅ・・・・照明部、１４・・・・字線部分、１５・・・・下地部分、２１・・・・案内文言表示領域、２２・・・・購入可能券種表示領域、２３・・・・利用可能種類表示領域、３１・・・・主制御部、３７・・・・発券部、３８・・・・カード処理部、３９・・・・紙幣処理部、４０・・・・硬貨処理部、４２−４５・・・・検知機構、１００・・・・自動券売機、２２１−２２４・・・・細分表示領域、２３１−２３６・・・・細分表示領域。
【図１】
2005084748.tif 000003
【図２】
2005084748.tif 000004
【図３】
2005084748.tif 000005
【図４】
2005084748.tif 000006
【図５】
2005084748.tif 000007
【図６】
2005084748.tif 000008
【図７】
2005084748.tif 000009
【図８】
2005084748.tif 000010
【図９】
2005084748.tif 000011
【図１０】
2005084748.tif 000012
【図１１】
2005084748.tif 000013